(57)【要約】【課題】夜間の就寝中や暗所での作業中にメモや記録をとることができるように、用紙や手元を照らすこと。【解決手段】基板２にメモ用紙７を載せて筆記するためのメモホルダー１であって、メモ用紙７を動かないように固定させるメモ用紙挟持部３と筆記具８を保持する筆記具保持部４のほかに、メモ用紙７の表面を照らす光源５を備える。光が手元以外の天井などを照らすことのないように照光範囲限定部６を設ける。基板には裏面などにメモ用紙の補充スペースを設けてもよい。【選択図】図１
0003175989.tif 000002
【実用新案登録請求の範囲】
【請求項１】
メモ用紙を載置する基板と、メモ用紙を安定して保持するメモ用紙挟持部と、筆記具を保持する筆記具保持部と、手元とメモ用紙表面を照らす光源とを備えたことを特徴とするメモホルダー。
【請求項２】
前記光源は、メモ用紙の上隅の近傍に設けられ、該光源の後方と上方への光の放出を防止する照光範囲限定部が設けられていることを特徴とする請求項１に記載のメモホルダー。
【請求項３】
前記基板の裏面には予備のメモ用紙を収納するメモ用紙収納部が設けられていることを特徴とする請求項１または２のいずれかに記載のメモホルダー。
【請求項４】
メモ用紙が載置される部分以外のいずれかに蓄光塗料が塗布されていることを特徴とする請求項１〜３のいずれか１に記載のメモホルダー。
【考案の詳細な説明】
【技術分野】
【０００１】
メモ用紙に記入する際に、メモ用紙と手元を照らす照光手段を備えたメモホルダーに関する。
【背景技術】
【０００２】
仕事でも趣味でも何か思いついた時、すぐにメモしておきたい或はメモしておかなければならないことがある。日中ならさほど支障はない。しかし、就寝中となると煩わしい。
枕元にメモ用紙と筆記具を用意しておいて部屋の蛍光灯を点灯したり懐中電灯をつけたりしなければならない。冬などは特に、これは億劫なことである。またそばに他人が就寝中の場合は気を遣う。また、日中でも暗所での作業(マンホール、洞穴観察など)では、
やはりこの照明の問題は重要である。
【０００３】
このような暗い場所でメモしたり、記録をしたりするときの便宜のために、特許文献１は、本体の内部を照明して、内部のメモを読み取らせるようにするための点灯手段を備えた「携帯メモパッドホルダー」を開示している。
【先行技術文献】
【特許文献】
【０００４】
【特許文献１】特開２００２−８６９５６号公報
【考案の概要】
【考案が解決しようとする課題】
【０００５】
特許文献１の「携帯メモパッドホルダー」は、例えば、親が子供に宿題やお使い等の確認をさせるために、タイマーで時間をセットし、指定時間が来ると点灯手段が発光してメモを読むように促す  といった機能をサポートしている。つまり本目的の「暗所での簡便なメモ用装置」のためには、不必要な機能が備わり過ぎていて、かえって使い物にならない。また、この発明はメモを読ませることが目的であるから内部からメモに光を当てるようになっている。しかし、メモを書くためには、内部からの光では照度が不十分であり、外部からメモ用紙および手元を照らすことが望ましい。その意味でこの発明は不十分である。
そのため、本考案は、シンプルな構造ではあるが、夜中などの暗いときや暗い場所でも不自由を感じずにメモ書きできるメモホルダーを提供することを課題とする。
【課題を解決するための手段】
【０００６】
上記の目的を実現するために、請求項１に係る考案は、
メモ用紙を載置する基板と、メモ用紙を安定して保持するメモ用紙挟持部と、筆記具を保持する筆記具保持部と、手元とメモ用紙表面を照らす光源とを備えたメモホルダーであることを特徴とする。
つまり、光源と筆記具付きのメモホルダーであり、紙はあるが鉛筆が無い、或いは紙も鉛筆もあるが暗くて書けない、といった従来の不便さを解消することができる。
【０００７】
請求項２に係る考案は、請求項１に記載のメモホルダーであって、
前記光源は、メモ用紙の上隅の近傍に設けられ、該光源の後方と上方への光の放出を防止する照光範囲限定部が設けられていることを特徴とする。
これにより、光が本人の手元のみを照らし、天井や室内を照らすことがないので、同じ室内に本人以外の人がいても眠りを妨げたりすることがなく、安心して筆記ができる。
実施形態１の庇は、請求項２の照光範囲限定部に相当する。
【０００８】
請求項３に係る考案は、請求項１又は２のいずれかに記載のメモホルダーであって、
前記基板の裏面には予備のメモ用紙を収納するメモ用紙収納部が設けられていることを特徴とする。
これにより、基板の上には少ない枚数のメモ用紙があればよく、メモ用紙挟持部に強い弾性力は必要ない。
【０００９】
請求項４に係る考案は、請求項１〜３のいずれか１に記載のメモホルダーであって、
メモ用紙が載置される部分以外のいずれかに蓄光塗料が塗布されていることを特徴とする。
これにより、暗い場所でも、このメモホルダーがどこにあるかがすぐにわかる。
【考案の効果】
【００１０】
本考案のメモホルダーを枕元に置いておけば、夜中に不意に何かを思いついたとき、ただちにメモをしておくことができる。
また、メモ用紙と筆記具と光源とが一体となっているので持ち運びに便利であり、暗所での点検作業や夜間の実験観察において携帯するのに便利である。
【図面の簡単な説明】
【００１１】
【図１】第１の実施形態のメモホルダーの斜視図である。
【図２】第２の実施形態のメモホルダーの斜視図である。
【図３】第３の実施形態のメモホルダーの斜視図である。
【考案を実施するための形態】
【００１２】
〔第１の実施形態〕
本考案の第１の実施形態について、図１を参照しながら説明する。
図１に示すメモホルダー１は、基板２と、メモ用紙挟持部３と、筆記具保持部４と、光源５と、庇６を備える。
【００１３】
メモ用紙７を基板２の上面に載せてメモ用紙挟持部３で挟む。夜間に横臥し仰向けの状態でメモを書くこともあるので、メモホルダー１は小さく薄く軽いことが好ましい。そのため基板２は葉書程度のサイズでよい。また、基板２は上面に置いたメモ用紙に筆記可能な剛性が必要なことは言うまでもない。
メモ用紙挟持部３はバネなどの付勢力を利用してメモ用紙７を挟み、筆記する際にメモ用紙７を固定させ、安定した状態で筆記できるようにするものである。夜間に必要になる枚数として数枚から１０枚程度で十分であり、このくらいの枚数を保持できる程度のバネで十分である。
筆記具保持部４は、ボールペンなどの筆記具８を保持しておくもので、図１では基板２の一の側縁に筒状の筆記具入れを取り付けてある。
【００１４】
メモ用紙７の上方にあたる基板２の角の近傍に光源５を設ける。右利きの人用であれば、図１のように左上の角の近傍に設けるとよい。光源５としてはＬＥＤなどの消費電力の小さい発光体が適当である。光源５の背後と上方に光が放出することなく、光が手元とメモ用紙だけを照らすように光源５を庇６で覆う。庇６の高さとしては、紙面全体を照らすためには最低３〜４ｃｍ程度は必要であるが、利用時のことを考え高すぎても不便である。
図１では、光源５とスイッチ９とが一体にケースに入り、スイッチは庇６の上から少し突き出ている。また、電池１０は電池ケースに入り庇６の内側に位置しているが、電池１０もスイッチ９と同様にケースに内蔵されていてもよい。光源部分に電池とスイッチとが内蔵されていると部品点数が少なくてすみ、製造が容易となるからである。
なお、電池１０に関しては、交換あるいは充電可能であれば一般的に流通される何でもよい。
【００１５】
夜間就寝中に頭に浮かんだことがあれば、スイッチをオンにして光源５を発光させ、筆記具保持部４から筆記具８を取り出し、基板２上のメモ用紙７に容易に筆記できる。
このようにメモホルダー１は、メモ用紙７と筆記具８と照明とが一体となっているので、メモ用紙と筆記具と懐中電灯とを別々に枕元に用意しておくことに比べて格段に便利である。また、夜間の野外観察などの際に持ち歩くにも重宝である。
なお、枕元に蛍光灯があれば、就寝中に何かを思いついたときに蛍光灯を点けて筆記すればよいともいえる。しかし、蛍光灯では室内に自分以外にも就寝している人がいるならば、迷惑をかける。その点、メモホルダー１は手元とメモ用紙の最小限の範囲のみを照らすので安心して利用できる。
【００１６】
〔第２の実施形態〕
本考案の第２の実施形態について、図２を参照しながら説明する。
この実施形態のメモホルダー１１は、メモ用紙収納部１２を設けている点で、第１の実施形態のメモホルダー１と相違する。
メモ用紙収納部１２は、基板１３の裏面１４側に設けられた、予備のメモ用紙を折りたたまずに収納できる空間である。このように補充スペースがあるので、基板１３上には必要最少限の枚数のメモ用紙を載せておけばよい。
図２では、基板１３の右側縁に形成されたスリット状の開口部１５からメモ用紙を出し入れするようになっているが、開口部は上側縁にあってもよい。また、メモ用紙が落ちないように開口部に蓋などを設けてもよい。
なお、メモ用紙収納部１２を利用して別の資料を保持することも可能である。
【００１７】
〔第３の実施形態〕
本考案の第３の実施形態について、図３を参照しながら説明する。
この実施形態のメモホルダー２１は、蓄光塗料２２を塗布している点でのみ上記の実施形態のいずれとも相違する。
塗布する箇所は限定しないが、例えば、スイッチ９の表面に蓄光塗料２２を塗布するならば、すぐに点灯できる。メモホルダーを枕元に置いたつもりでも、寝返りを打ったときなどにベッドから落ちてしまうこともある。そのような場合には、蓄光塗料２２を塗布しておくと便利である。
【００１８】
〔その他〕
上記の第１乃至第３の実施形態は、本考案の実施形態の例示にすぎず、種々の変形例が考えられる。変形例のいくつかを下記に記す。
第１の実施形態では、光源は用紙の左上に配置した。しかし、左利きの人には不便きわまりない。そのため、左利きの人のために基板の右上の近傍に光源を配置したメモホルダーを提供すればよい。
第１の実施形態のように照光範囲限定部は基板に一体的に固定されていてもよいが、基板の左上隅と右上隅のいずれにも設けることができるように、基板と着脱自在にしてもよい。これならば、左利きの人と右利きの人に共通に使える。
上記の実施形態では筆記具保持部が筒状であったが、筆記具の軸部の太さに対応した径を有する溝状やクリップ形態であってもよい。ただし、溝から筆記具が落下しないように適宜ストッパなどが必要である。
【産業上の利用可能性】
【００１９】
就寝中にアイデアが浮かんでくるような人、暗所での作業を行う人、或いは夜間のフィールドワークや暗所での実験を行う研究者や学生などからの需要が期待できる。
【符号の説明】
【００２０】
１：（第１の実施形態の）メモホルダー、２：基板、３：メモ用紙挟持部、
４：筆記具保持部、５：光源、６：照光範囲限定部（庇）、７：メモ用紙、８：筆記具、
９：スイッチ、１０：電池、
１１：（第２の実施形態の）メモホルダー、１２：メモ用紙収納部、１３：基板、
１４：基板裏面、１５：開口部、
２１：（第３の実施形態の）メモホルダー、２２：蓄光塗料塗布部
【図１】
0003175989.tif 000003
【図２】
0003175989.tif 000004
【図３】
0003175989.tif 000005